(57)【要約】【課題】画面を保護することができ、かつ、操作性も高い電子機器を提供する。【解決手段】略直方体のハウジングと、ハウジングの前面に配置される表示部と、表示部の前面を覆い、ハウジングに外周を囲まれるカバー部と、を備え、ハウジングは、ハウジングの側面に外周部を含み、外周部は、長辺部と短辺部と角部とを含み、外周部は、表示部の前面に直交する方向から見た場合、角部が、長辺部に配置されている部分よりも厚く、表示部に平行な方向から長辺部を見た場合、角部が、カバー部よりも突出し、かつ、長辺部に配置されている部分よりも突出しており、長辺部の中央から角部に向かう方向において外周部の第１の特定位置で漸次的に突出量が増加する。【選択図】図１
2020174308.tif 000002
【特許請求の範囲】
【請求項１】
略直方体のハウジングと、
前記ハウジングの前面に配置される表示部と、
前記表示部の前記前面を覆い、前記ハウジングに外周を囲まれるカバー部と、を備え、
前記ハウジングは、前記ハウジングの側面に外周部を含み、
前記外周部は、長辺部と短辺部と角部とを含み、
前記外周部は、
前記表示部に直交する方向から見た場合、前記角部が、前記長辺部に配置されている部分よりも厚く、
前記表示部に平行な方向から前記長辺部を見た場合、前記角部が、前記カバー部よりも突出し、かつ、前記長辺部に配置されている部分よりも突出しており、前記長辺部の中央から前記角部に向かう方向において前記外周部の第１の特定位置で漸次的に突出量が増加する電子機器。
【請求項２】
前記外周部は、前記表示部に平行な方向において外側に突出する突出量が、前記表示部に直交する方向において、中心が凸となる曲線状に変化する請求項１に記載の電子機器。
【請求項３】
前記外周部は、
前記表示部に直交する方向から見た場合、前記角部が、前記短辺部に配置されている部分よりも厚く、
前記表示部に平行な方向から前記短辺部を見た場合、前記角部が、前記短辺部に配置されている部分よりも突出しており、前記短辺部の中央から前記角部に向かう方向において前記外周部の第２の特定位置で漸次的に突出量が増加する、請求項１または請求項２に記載の電子機器。
【請求項４】
前記外周部は、前記角部の前記カバー部よりも突出している突出量が、０．７ｍｍ以上１．５ｍｍ以下である請求項１から請求項３のいずれか一項に記載の電子機器。
【請求項５】
前記外周部は、外表面がポリカーボネートまたは、ガラス入りポリカーボネートで形成されている請求項１から請求項４のいずれか一項に記載の電子機器。
【請求項６】
前記外周部に配置され、押下される操作を検出する操作部を有し、
前記操作部は、前記表示部に平行な方向において、前記外周部よりも突出していない請求項１から請求項５のいずれか一項に記載の電子機器。
【請求項７】
前記外周部に形成され、内部が繋がった２つのストラップ孔を有し、
前記２つのストラップ孔の間の部分が、他の表面よりも窪んでいる請求項１から請求項６のいずれか一項に記載の電子機器。
【発明の詳細な説明】
【技術分野】
【０００１】
本出願は、電子機器に関する。
【背景技術】
【０００２】
電子機器には、操作者が手に持って操作し、かつ、操作者が操作の確認等を行うための表示部を備えている携帯型の電子機器がある。携帯型の電子機器としては、携帯通信機器が例示される。電子機器では、表示部の表示に対する操作を直感的に入力することが可能な、タッチスクリーンを備えている。
【０００３】
特許文献１には、表示部、タッチスクリーンの防水性、耐衝撃性を確保すると共に、静電気対策も図るために、この表示パネルの開口部に対応する表示領域を除いて、表示パネルを覆い、且つ基準電位に接続される導電性を有するシールド部材と、表示パネルの表面における外周部とシールド部材との間、およびシールド部材と本体ケースとの間に配置される防水性を有するクッション部材とを備える電子機器が記載されている。
【先行技術文献】
【特許文献】
【０００４】
【特許文献１】特開２００５−２０９８６８号公報
【発明の概要】
【発明が解決しようとする課題】
【０００５】
特許文献１に記載の装置は、クッション部材で外周を覆うことで、表示部を保護することができる。しかしながら、クッション部材があることで、タッチスクリーンの端部近傍に操作を入力する場合に、クッション部が所望の操作の入力を阻害する場合がある。また、クッション部があることで、操作者が持ちにくくなる場合もある。
【０００６】
上記のことから、画面を保護することができ、かつ、操作性も高い電子機器に対するニーズがある。
【課題を解決するための手段】
【０００７】
１つの態様に係る電子機器は、略直方体のハウジングと、前記ハウジングの前面に配置される表示部と、前記表示部の前記前面を覆い、前記ハウジングに外周を囲まれるカバー部と、を備え、前記ハウジングは、前記ハウジングの側面に外周部を含み、前記外周部は、長辺部と短辺部と角部とを含み、前記外周部は、前記表示部の前記前面に直交する方向から見た場合、前記角部が、前記長辺部に配置されている部分よりも厚く、前記表示部に平行な方向から前記長辺部を見た場合、前記角部が、前記カバー部よりも突出し、かつ、前記長辺部に配置されている部分よりも突出しており、前記長辺部の中央から前記角部に向かう方向において前記外周部の第１の特定位置で漸次的に突出量が増加する。
【０００８】
１つの態様に係る電子機器は、略直方体のハウジングと、前記ハウジングの前面に配置される表示部と、前記表示部の前記前面を覆い、前記ハウジングに外周を囲まれるカバー部と、を備え、前記ハウジングは、前記ハウジングの側面に外周部を含み、前記外周部は、長辺部と短辺部と角部とを含み、前記表示部に平行な方向から前記長辺部を見た場合、前記角部が、前記カバー部よりも突出し、かつ、前記長辺部に配置されている部分よりも突出している。
【０００９】
前記外周部は、前記角部が、前記長辺部の中央から前記角部に向かう方向において前記外周部の第１の特定位置で漸次的に突出量が増加することが好ましい。
【００１０】
前記外周部は、前記長辺部が、前記カバー部よりも突出していることが好ましい。
【００１１】
前記外周部は、前記表示部に平行な方向から見た場合、前記表示部側の端辺が直線または曲線で構成されることが好ましい。前記外周部は、前記長辺部の中央から端部に向かって突出量が増加することが好ましい。
【００１２】
前記外周部は、前記表示部に平行な方向から見た場合、屈折部があってもよい。
【００１３】
前記外周部は、前記表示部に直交する方向から見た場合、前記角部が、前記長辺部よりも厚いことが好ましい。前記ハウジングは、前記表示面に直交する方向から見た場合、角部が、前記短辺部よりも厚いことが好ましい。
【００１４】
前記外周部は、前記表示部に平行な方向の突出量が、前記表示部に直交する方向において、中心が凸となる曲線状に変化することが好ましい。
【００１５】
前記外周部は、前記表示部に平行な方向から前記短辺部を見た場合、前記角部が、前記短辺部に配置されている部分よりも突出していることが好ましい。前記外周部は、前記角部が、前記短辺部の中央から前記角部に向かう方向において前記外周部の第２の特定位置で漸次的に突出量が増加することが好ましい。前記外周部は、前記短辺部が、前記カバー部よりも突出していることが好ましい。前記外周部は、前記表示部に直交する方向から見た場合、前記角部が、前記カバー部よりも突出し、かつ、前記短辺部よりも突出していることが好ましい。
【００１６】
前記外周部は、前記角部の前記カバー部よりも突出している突出量が、０．７ｍｍ以上１．５ｍｍ以下であることが好ましい。前記外周部は、外表面がポリカーボネートまたは、ガラス入りポリカーボネートで形成されていることが好ましい。
【００１７】
前記ハウジングの側面に配置され、押下される操作を検出する操作部を有し、前記操作部は、前記表示面に平行な方向において、前記ハウジングよりも突出していないことが好ましい。
【００１８】
前記外周部に形成され、内部が繋がった２つのストラップ孔を有し、前記２つのストラップ孔の間の部分が、他の表面よりも窪んでいることが好ましい。
【図面の簡単な説明】
【００１９】
【図１】図１は、実施形態に係るスマートフォンの斜視図である。
【図２】図２は、スマートフォンの正面図である。
【図３】図３は、スマートフォンの背面図である。
【図４】図４は、スマートフォンの角部の拡大正面図である。
【図５】図５は、スマートフォンの角部の拡大側面図である。
【図６】図６は、スマートフォンのストラップ孔の周辺の側面図である。
【図７】図７は、他のスマートフォンの角部の拡大側面図である。
【発明を実施するための形態】
【００２０】
本出願に係る実施形態を、図面を参照しつつ詳細に説明する。以下の説明において、同様の構成要素について同一の符号を付すことがある。さらに、重複する説明は省略することがある。
【００２１】
本発明を実施するための実施形態を、図面を参照しつつ詳細に説明する。以下では、タッチスクリーンを備える装置の一例として、スマートフォンについて説明する。
【００２２】
図１から図３を参照しながら、実施形態に係るスマートフォン１の全体的な構成について説明する。スマートフォン１は、通信ユニットを用いて無線により通信を行い、通話や、データの送受信を行う。通信ユニットによってサポートされる通信方式は、無線通信規格が含まれる。無線通信規格として、例えば、２Ｇ、３Ｇ、４Ｇ、５Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）が含まれる。通信ユニットは、上述した通信規格の１つ又は複数をサポートしていてもよい。通信ユニットは、有線による通信をサポートしてもよい。有線による通信は、例えば、イーサネット（登録商標）、ファイバーチャネル等を含む。
【００２３】
また、スマートフォン１は、各種動作を制御し、実現するための、ストレージとコントローラとを有する。ストレージは、プログラム及びデータを記憶する。ストレージは、コントローラの処理結果を一時的に記憶する作業領域としても利用してもよい。ストレージは、半導体記憶媒体、及び磁気記憶媒体等の任意の非一過的（ｎｏｎ−ｔｒａｎｓｉｔｏｒｙ）な記憶媒体を含んでよい。ストレージは、複数の種類の記憶媒体を含んでよい。ストレージは、メモリカード、光ディスク、又は光磁気ディスク等の可搬の記憶媒体と、記憶媒体の読み取り装置との組み合わせを含んでよい。ストレージは、ＲＡＭ（Ｒａｎｄｏｍ  Ａｃｃｅｓｓ  Ｍｅｍｏｒｙ）等の一時的な記憶領域として利用される記憶デバイスを含んでよい。コントローラは、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラは、スマートフォン１の動作を統括的に制御して各種の機能を実現する。
【００２４】
図１から図３に示すように、スマートフォン１は、ハウジング２０を有する。ハウジング２０は、略直方体形状であり、フロントフェイス（前面）１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。また、ハウジング２０は、端部に面取り形状や、一部突出している部分や凹部を備える場合もあるが、フロントフェイス１Ａと、バックフェイス１Ｂとが面積が最も面積が大きい面となり、サイドフェイス１Ｃ１、１Ｃ３が長手方向の面、サイドフェイス１Ｃ２，１Ｃ４が短手方向の面となる、略直方体形状である。
【００２５】
ハウジング２０は、各部を収納する本体部３０と、本体部３０の側面の全周に配置され、ハウジング２０の側面の外周部分である外周部３２と、を有する。本体部３０は、金属や、樹脂で形成されている。本体部３０は、バックフェイス１Ｂでは外に露出している。本体部３０は、フロントフェイス１Ａがタッチスクリーンディスプレイ２で覆われている。本体部３０は、側面、つまりサイドフェイス１Ｃが外周部３２に覆われている。外周部３２は、ハウジング２０のサイドフェイス１Ｃとなる。外周部３２は、樹脂やゴム材料等の衝撃吸収することができる材料で形成される。
【００２６】
ハウジング２０は、内部に水が浸入することを抑える構造であることが好ましい。つまり、ハウジング２０は、防水性を備えている構造である。具体的には、ハウジング２０は、内部と外部とが繋がる穴に、空気を通し、かつ、水を通さない機構が設けられている。ハウジング２０が複数の部材で形成されている場合、ハウジング２０は、複数の部材の境界にゴムパッキンまたは接着材がある。接着剤は、複数の部材を接着している。部材は、境界が密閉されている。
【００２７】
本実施形態のハウジング２０は、本体部３０と外周部３２とを別体としたが、本体部３０と外周部３２を同じ材料で形成しても、一体としてもよい。ハウジング２０の外周部３２については後述する。
【００２８】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄと、コネクタとをサイドフェイス１Ｃに有する。以下では、ボタン３Ａ〜３Ｄを、どのボタンであるかを特定することなく、ボタン３と総称することがある。
【００２９】
タッチスクリーンディスプレイ２は、ディスプレイ２Ａと、タッチスクリーン２Ｂと、カバー部２Ｃと、を有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重なって位置しているが、ディスプレイ２Ａ及びタッチスクリーン２Ｂの位置はこれに限定されない。ディスプレイ２Ａ及びタッチスクリーン２Ｂは、例えば、並んで位置してもよいし、離れて位置してもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００３０】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを表示する。
【００３１】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００３２】
タッチスクリーン２Ｂの検出方式は、静電容量方式、抵抗膜方式、表面弾性波方式、赤外線方式、及び荷重検出方式等の任意の方式でよい。以下の説明では、説明を簡単にするため、利用者はスマートフォン１を操作するために指を用いてタッチスクリーン２Ｂに接触するものと想定する。
【００３３】
カバー部２Ｃは、タッチスクリーン２Ｂの表面に積層されている。カバー部２Ｃは、スマートフォン１のフロントフェイス１Ａの全面に配置され、外縁が外周部３２と接する。カバー部２Ｃは、フロントフェイス１Ａに露出する面となる。タッチスクリーン２Ｂ，ディスプレイ２Ａを保護する。カバー部２Ｃは、ガラス、透明樹脂、透明なプラスチック等で形成されている。カバー部２Ｃは、表面にタッチスクリーン２Ｂが設けられていてもよい。
【００３４】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００３５】
ボタン３は、利用者によって操作される。ボタン３は、ボタン３Ａ〜ボタン３Ｄを有する。コントローラは、ボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３６】
ボタン３Ａ〜３Ｃは、例えば、ホームボタン、バックボタンまたはメニューボタンである。ボタン３Ｄは、例えば、スマートフォン１のパワーオン／オフボタン、スリープ／スリープ解除ボタン、音量ボタン、電源ボタン、シャッターボタン等である。本実施形態では、ボタン３Ｄが、サイドフェイス１Ｃ４に配置されている。ボタン３Ｄは、他のサイドフェイス１Ｃに配置されていてもよいし、複数のサイドフェイスに配置されていてもよい。
【００３７】
照度センサ４は、スマートフォン１の周囲の光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３８】
レシーバ７及びスピーカ１１は、音出力部である。レシーバ７及びスピーカ１１は、コントローラから送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換する。
【００３９】
カメラ１２は、フロントフェイス１Ａに面している物体を撮影するインカメラである。カメラ１３は、バックフェイス１Ｂに面している物体を撮影するアウトカメラである。カメラ１３は、バックフェイス１Ｂのサイドフェイス１Ｃ１側に配置されている。
【００４０】
コネクタは、他の装置が接続される端子である。コネクタは、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタは、Ｄｏｃｋコネクタのような専用の端子でもよい。コネクタに接続される装置は、例えば、外部ストレージ、スピーカ、及び通信装置を含むが、これらに限定されない。
【００４１】
次に、図１から図３に加え、図４から図６を用いて、ハウジング２０について、より詳細に説明する。図４は、スマートフォンの角部の拡大正面図である。図５は、スマートフォンの角部の拡大側面図である。図６は、スマートフォンのストラップ孔の周辺の側面図である。
【００４２】
ハウジング２０の外周部３２は、サイドフェイス１Ｃの全周を覆っている。外周部３２は、短辺部４０、４２と、長辺部４４、４６、角部５０、５２、５４、５６と、を含む。短辺部４０、４２は、矩形のディスプレイ２Ａの短辺側の辺に配置されている。短辺部４０は、サイドフェイス１Ｃ１に配置されている。短辺部４２は、サイドフェイス１Ｃ２に配置されている。長辺部４４、４６は、ディスプレイ２Ａの長辺側の辺に配置されている。長辺部４４は、サイドフェイス１Ｃ３に配置されている。長辺部４６は、サイドフェイス１Ｃ４に配置されている。つまり、短辺部４０、４２は、ディスプレイ２Ａの短辺に配置されている部分となる。長辺部４４、４６は、ディスプレイ２Ａの長辺に配置されている部分となる。角部５０、５２、５４、５６は、矩形のディスプレイ２Ａの角に対応する位置に配置されている。角部５０は、短辺部４０と長辺部４４とを連結している。角部５２は、短辺部４２と長辺部４４とを連結している。角部５４は、短辺部４２と長辺部４６とを連結している。角部５６は、短辺部４０と長辺部４６とを連結している。角部５０、５２、５４、５６は、接続している辺と辺とを円弧形状で接続している。長辺部４６は、ボタン３Ｄが配置されている領域に形成されておらず、ボタン３Ｄが配置されている領域の周囲を覆っている。
【００４３】
外周部３２は、ディスプレイ２Ａに直交する方向から見た場合、つまり図２及び図４に示す向きの場合、角部５０、５２、５４、５６の幅が長辺部４４、４６の幅よりも広い。つまり、図４に示すように、長辺部４６の幅Ｗ１よりも角部５６の幅Ｗ２が広い。同様に、外周部３２は、ディスプレイ２Ａに直交する方向から見た場合、角部５０、５２、５４、５６の幅が短辺部４０、４２の幅よりも広い。また、角部５０、５２、５４、５６は、接続している辺の延長線と重ならない形状である。本実施形態の角部５０、５２、５４、５６は、内径側の曲率よりも外径側の曲率が大きい形状で、幅が、短辺部４０、４２、長辺部４４、４６の幅よりも広い形状となる。
【００４４】
また、図４に示すように、長辺部４６は、幅Ｗ１が、ボタン３Ｄの突出量よりも広い。つまり、外周物３２は、ディスプレイ２Ａに直交する方向から見た場合、長辺部４６の端部を結んだ線、つまり幅方向の端部を結んだ線の内側にボタン３Ｄの全てが配置される。
【００４５】
外周部３２のサイドフェイス１Ｃは、ディスプレイ２Ａに直交する断面の形状が、ハウジング２０の厚み方向の端部から中心に向かって、ハウジング２０から離れる方向に突出した凸形状となる。本実施形態の外周部３２は、図５に示すように、ディスプレイ２Ａに直交する断面の形状が、円弧となる。
【００４６】
また、外周部３２の長辺部４６は、図５に示すように、ディスプレイ２Ａに平行な方向から見た場合、つまり、ディスプレイ２Ａの表面に平行な方向から見た場合サイドフェイス１Ｃ側の端部が、カバー部２Ｃよりも突出している。また、長辺部４４、短辺部４０、４２も、図１に示すように、長辺部４６と同様に、サイドフェイス１Ｃ側の端部が、カバー部２Ｃよりも突出している。また、角部５０、５２、５４、５６は、図１、図５に示すように、サイドフェイス１Ｃ側の端部が、カバー部２Ｃよりも突出し、長辺部４４、４６よりも突出している。つまり、図５に示すように、長辺部４６のカバー部２Ｃからの突出量ｔ１よりも、角部５６の突出量ｔ２が大きい。また、外周部３２は、長辺部４６から角部５６に向けて、サイドフェイス１Ｃ側の端部のカバー部２Ｃに対する突出量が漸次的に変化する。角部５０、５２、５４も同様の形状である。
【００４７】
図２に示すように、外周部３２は、角部５０と長辺部４４とが接続する部分において、特定位置６１が突出部の基点となる。外周部３２は、特定位置（第１の特定位置）６１よりも角部５０側が、特定位置６１よりも長辺部４４側に対して突出している。外周部３２は、角部５０と短辺部４０とが接続する部分において、特定位置６２を突出部の基点となる。外周部３２は、特定位置６２よりも角部５０側が、特定位置６２よりも短辺部４０側に対して突出している。外周部３２は、角部５６と長辺部４６とが接続する部分において、特定位置６７（第１の特定位置）が突出部の基点となる。外周部３２は、特定位置６７よりも角部５６側が、特定位置６７よりも長辺部４６側に対して突出している。外周部３２は、角部５６と短辺部４０とが接続する部分において、特定位置６８を突出部の基点となる。外周部３２は、特定位置６８よりも角部５６側が、特定位置６８よりも短辺部４０側に対して突出している。角部５２、５４の突出している形状も同様である。
【００４８】
また、外周部３２は、長辺部４４、４６において、突出量が変化する位置、例えば特定位置６１、６７が、長辺部４４、４６の中心Ｃｌ２よりも角部５０、５２、５４、５６側となる。また、外周部３２は、長辺部４６から角部５６に向けて、サイドフェイス１Ｃ側の端部のカバー部２Ｃに対する突出量が漸次的に変化する。つまり、外周部３２は、突出量が滑らかに変化し、サイドフェイス１Ｃ側の端辺に屈折がない形状である。角部５０、５２、５４、５６は、図１に示すように、サイドフェイス１Ｃ側の端部が、カバー部２Ｃよりも突出し、短辺部４０、４２よりも突出している。角部５０、５２、５４、５６と短辺部４０、４２との突出量の関係は、角部５０、５２、５４、５６と長辺部４４、４６と同様である。例えば、外周部３２は、短辺部４０、４２において、突出量が変化する位置、例えば、特定位置６２、６８が、短辺部４０、４２の中心Ｃｌ１よりも角部５０、５２、５４、５６側となる。
【００４９】
次に、外周部３２は、角部５２に、ストラップ穴７０、７２が形成されている。ストラップ穴７０は、ストラップ穴７２とつながっている。角部５２は、ストラップ穴７０とストラップ穴７２とを繋ぐ通路の外周側に凹部７４が形成されている。凹部７４は、角部５２の他の部分よりも本体部３０側に配置されている。凹部７４は、ストラップ穴７０、７２に挿入するストラップの通路を通過していない部分をガイドする。
【００５０】
スマートフォン１は、ハウジング２０に外周部３２を有し、ディスプレイ２Ａに平行な方向から見た場合、角部５０、５２、５４、５６が、カバー部２Ｃよりも突出し、短辺部４０、４２、長辺部４４、４６よりも突出している。このように、角部５０、５２、５４、５６のディスプレイ側の端部を、他の部分よりも突出させることで、カバー部２Ｃに加わる衝撃を低減することができる。例えば、カバー部２Ｃ側が垂直方向下側に向いた状態で、スマートフォン１が落下した場合に、衝撃が角部５０、５２、５４、５６に最初に加わるため、カバー部２Ｃに加わる衝撃を低減することができる。これにより、カバー部２Ｃの損傷の可能性を低減することができる。また、スマートフォン１は、角部５０、５２、５４、５６のディスプレイ側の端部を、他の部分よりも突出させることで、長辺部４４、４６、短辺部４０、４２の突出量を少なくすることができる。これにより、スマートフォン１は、タッチスクリーンディスプレイ２の端部まで操作を入力する場合に、カバー部２Ｃの垂直方向において長辺部４４、４６、短辺部４０、４２のディスプレイ側の端部の突出量が角部５０、５２、５４、５６のディスプレイ側の端部の突出量以上である場合よりも、外周部３２が操作を妨げることを抑制でき、操作性を高くすることができる。また、スマートフォン１は、長辺部４４、４６、短辺部４０、４２の突出量を少なくすることができるため、スマートフォン１を持ちやすくすることができ、見た目としても薄く見える。
【００５１】
ハウジング２０は、短辺部４０、４２、長辺部４４、４６もカバー部２Ｃよりも突出していることで、カバー部２Ｃをより損傷しにくくすることができる。
【００５２】
ハウジング２０は、ディスプレイ２Ａに平行な方向から見た場合、ディスプレイ２Ａ側の端辺が直線または曲線で構成されることが好ましい。これにより、ディスプレイ２Ａ側に突出している部分がなめらかに変化する構造となり、落下時の衝撃を効率よく分散することができる。さらに、ハウジング２０は、長辺部４４、４６の中央から長辺部４４、４６の端部に向かう方向において外周部３２の特定位置６１、６７でディスプレイ２Ａ側の端部のカバー部２Ｃに対する突出量が増加することが好ましい。また、ハウジング２０は、短辺部４０、４２も同様に、ハウジング２０は、短辺部４０、４２の中央から短辺部４０、４２の端部に向かう方向において外周部３２の特定位置６２、６８でディスプレイ２Ａ側の端部のカバー部２Ｃに対する突出量が増加することが好ましい。これにより、操作性の低下を抑制しつつ、カバー部２Ｃを保護することができる。
【００５３】
ここで、長辺部４４、４６の中央から角部５０、５２、５４、５６に向かう方向において外周部の突出量の変化が開始する位置である特定位置６１、６７は、ディスプレイ２Ａの端部の近傍にあることが好ましい。具体的には、スマートフォン１をサイドフェイス１Ｃ１に直交する方向から見た方向において、ディスプレイ２Ａの長辺方向の距離をＬａとした場合、長辺部４４、４６の中央から角部５０、５２、５４、５６に向かう方向における外周部の特定位置６１、６７と、ディスプレイ２Ａの端部との距離Ｌｃを、ディスプレイ２Ａの端部よりも長辺部４４、４６の中心に向かって０．０３Ｌａ以内とすることが好ましい。突出量が変化する位置をディスプレイ２Ａの端部から上記範囲とすることで、操作性の低下を抑制しつつ、耐衝撃性を高くすることができる。
【００５４】
ここで、短辺部４０、４２の中央から角部５０、５２、５４、５６に向かう方向において外周部３２の突出量の変化が開始する位置である特定位置６２、６８は、ディスプレイ２Ａの端部の近傍にあることが好ましい。具体的には、スマートフォン１をサイドフェイス１Ｃ２に直交する方向から見た方向において、ディスプレイ２Ａの短辺方向の距離をＬｂとした場合、短辺部４０、４２の中央から角部５０、５２、５４、５６に向かう方向における外周部３２の特定位置６２、６８と、ディスプレイ２Ａの端部との距離Ｌｄを、ディスプレイ２Ａの端部よりも短辺部４０、４２の中心に向かって０．０３Ｌｂ以内とすることが好ましい。突出量が変化する位置をディスプレイ２Ａの端部から上記範囲とすることで、操作性の低下を抑制しつつ、耐衝撃性を高くすることができる。
【００５５】
また、ハウジング２０は、ディスプレイ２Ａに直交する方向から見た場合、角部５０、５２、５４、５６が、短辺部４０、４２、長辺部４４、４６よりも厚い構造とすることで、角部５０、５２、５４、５６の耐衝撃性を高くすることができる。スマートフォン１は、角部５０、５２、５４、５６から落下した場合に、外周部３２で衝撃を吸収することができ、カバー部２Ｃの損傷の可能性を低減することができる。また、短辺部４０、４２、長辺部４４、４６を薄くすることができるため、幅の増加を抑制し、操作者が持ちやすい構造とすることができる。また、角部５０、５２、５４、５６のみを厚くすることで、全体をコンパクトな見た目にしつつ、耐衝撃性を高くすることができる。
【００５６】
ハウジング２０は、外周部３２のディスプレイ２Ａに平行な方向の突出する突出量が、ディスプレイ２Ａに直交する方向において、中心が凸となる曲線状に変化する構造とすることで、端末を持ちやすくすることができる。
【００５７】
ハウジング２０のサイズが１５７×７６×８．５及び図５に示すｔ１が０．３ｍｍの場合、図５に示すｔ２は、０．７ｍｍ以上１．５ｍｍ以下であることが好ましい。特にハウジング２０のサイズが１５７×７６×８．５及び図５に示すｔ１が０．３ｍｍの場合、図５に示すｔ２は、０．７ｍｍであることが好ましい。突出量を上記範囲とすることで、カバー部２Ｃを保護しつつ、外観の違和感も少なくすることができる。
【００５８】
ハウジング２０は、外表面、つまり外周部３２がポリカーボネートまたは、ガラス入りポリカーボネートで形成されていることが好ましい。これにより、衝撃を好適に吸収することができる。
【００５９】
スマートフォン１は、サイドフェイス１Ｃのボタン３Ｄを、ディスプレイ２Ａに平行な方向において、外周部３２よりも突出していない構造とすることで、落下時にボタン３Ｄが損傷することを抑制することができる。また、スマートフォン１は、鞄に入れている場合等で、他の物体と接触し、意図しないで、ボタンが押されることを防ぐことができる。
【００６０】
スマートフォン１は、内部が繋がった２つのストラップ孔７０、７２の間の部分に、他の表面よりも窪んでいる凹部７４を設けることで、ストラップを特定の位置に保持することができる。これにより、ストラップが擦れて、ハウジング２０が変質すること、ストラップが消耗することを抑制することができる。
【００６１】
また、本実施形態では、短辺部４０、４２を、長辺部４４、４６と同様の構造とすることが好ましいがこれに限定されない。短辺部４０、４２は、ディスプレイ２Ａに直交する方向から見た場合、角部５０、５２、５４、５６と同じ幅としてもよいし、大きな幅としてもよい。また、短辺部４０、４２は、ディスプレイ２Ａに平行な方向から見た場合、ディスプレイ２Ａ側の端部のかバー部２Ｃに対する突出量を、角部５０、５２、５４、５６と同じ突出量としてもよいし、大きな突出量としてもよい。
【００６２】
図７は、他のスマートフォンの角部の拡大側面図である。図７に示すスマートフォン１００は、基本的な構成は、図１に示すスマートフォン１と同様である。以下、スマートフォン１００に特有の構成を説明する。スマートフォン１００は、角部５６ａに屈折部１０２、１０４、１０６を有する。つまり、角部５６ａは、ディスプレイ２Ａに平行な方向から見た場合、直線を組み合わせた構造となる。角部５６ａは、一部が、カバー部２Ｃの表面と平行な部分がある。また、外周部３２ａは、ディスプレイ２Ａに平行な方向の突出する突出量が、ディスプレイ２Ａに直交する方向において、一定となる部分がある。
【００６３】
スマートフォン１００は、角部５６ａに屈折部１０２、１０４、１０６を備えた構造としてもよい。この場合もカバー部２Ｃを好適に保護することができる。また、屈折部１０２、１０４、１０６を設けることで、突出量を急激に変化させることができ、突出量が大きい部分を少なくすることができる。
【００６４】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００６５】
上記の実施形態では、タッチスクリーンを備える装置の例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機を含むが、これらに限定されない。
【００６６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００６７】
１  スマートフォン
２  タッチスクリーンディスプレイ
２Ａ  ディスプレイ
２Ｂ  タッチスクリーン
３  ボタン
４  照度センサ
５  近接センサ
７  レシーバ
８  マイク
１１  スピーカ
１２、１３  カメラ
２０  ハウジング
３０  本体部
３２  外周部
４０、４２  短辺部
４４、４６  長辺部
５０、５２、５４、５６  角部
７０、７２  ストラップ孔
７４  凹部
【図１】
2020174308.tif 000003
【図２】
2020174308.tif 000004
【図３】
2020174308.tif 000005
【図４】
2020174308.tif 000006
【図５】
2020174308.tif 000007
【図６】
2020174308.tif 000008
【図７】
2020174308.tif 000009
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
略直方体のハウジングと、
前記ハウジングの前面に配置される表示部と、
前記表示部の前記前面を覆い、前記ハウジングに外周を囲まれるカバー部と、を備え、
前記ハウジングは、前記ハウジングの側面に外周部を含み、
前記外周部は、長辺部と短辺部と角部とを含み、
前記外周部は、
前記表示部に直交する方向から見た場合、前記角部が、前記長辺部に配置されている部分よりも厚く、
前記表示部に平行な方向から前記長辺部を見た場合、前記角部が、前記カバー部よりも突出し、かつ、前記長辺部に配置されている部分よりも突出しており、前記長辺部の中央から前記角部に向かう方向において前記外周部の第１の特定位置で漸次的に突出量が増加し、
前記長辺部に配置されている部分は、前記カバー部よりも突出している電子機器。
【請求項２】
前記外周部は、前記表示部に平行な方向において外側に突出する突出量が、前記表示部に直交する方向において、中心が凸となる曲線状に変化する請求項１に記載の電子機器。
【請求項３】
前記外周部は、
前記表示部に直交する方向から見た場合、前記角部が、前記短辺部に配置されている部分よりも厚く、
前記表示部に平行な方向から前記短辺部を見た場合、前記角部が、前記短辺部に配置されている部分よりも突出しており、前記短辺部の中央から前記角部に向かう方向において前記外周部の第２の特定位置で漸次的に突出量が増加する、請求項１または請求項２に記載の電子機器。
【請求項４】
前記外周部は、前記角部の前記カバー部よりも突出している突出量が、０．７ｍｍ以上１．５ｍｍ以下である請求項１から請求項３のいずれか一項に記載の電子機器。
【請求項５】
前記外周部は、外表面がポリカーボネートまたは、ガラス入りポリカーボネートで形成されている請求項１から請求項４のいずれか一項に記載の電子機器。
【請求項６】
前記外周部に配置され、押下される操作を検出する操作部を有し、
前記操作部は、前記表示部に平行な方向において、前記外周部よりも突出していない請求項１から請求項５のいずれか一項に記載の電子機器。
【請求項７】
前記外周部に形成され、内部が繋がった２つのストラップ孔を有し、
前記２つのストラップ孔の間の部分が、他の表面よりも窪んでいる請求項１から請求項６のいずれか一項に記載の電子機器。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
略直方体のハウジングと、
前記ハウジングの前面に配置される表示部と、
前記表示部の前記前面を覆い、前記ハウジングに外周を囲まれるカバー部と、を備え、
前記ハウジングは、前記ハウジングの側面に外周部を含み、
前記外周部は、長辺部と短辺部と角部とを含み、
前記外周部は、
前記表示部に直交する方向から見た場合、前記角部が、前記長辺部に配置されている部分よりも厚く、
前記表示部に平行な方向から前記長辺部を見た場合、前記角部が、前記カバー部よりも突出し、かつ、前記長辺部に配置されている部分よりも突出しており、前記長辺部の中央から前記角部に向かう方向において前記外周部の第１の特定位置で漸次的に突出量が増加し、
前記長辺部に配置されている部分は、前記カバー部よりも突出し、
前記角部は、前記表示部に平行な方向において、前記表示部に直交する方向に中央付近が突出する凸部を有し、
前記凸部は、前記表示部に平行な方向において、表面が曲面状に変化し、前記前面から当該凸部の頂点に向かって延びる曲面の曲率半径は、当該前面に対向する後面から当該凸部の頂点に向かって延びる曲面の曲率半径より大きい電子機器。
【請求項２】
前記外周部は、前記表示部に平行な方向において外側に突出する突出量が、前記表示部に直交する方向において、中心が凸となる曲線状に変化する請求項１に記載の電子機器。
【請求項３】
前記外周部は、
前記表示部に直交する方向から見た場合、前記角部が、前記短辺部に配置されている部分よりも厚く、
前記表示部に平行な方向から前記短辺部を見た場合、前記角部が、前記短辺部に配置されている部分よりも突出しており、前記短辺部の中央から前記角部に向かう方向において前記外周部の第２の特定位置で漸次的に突出量が増加する、請求項１または請求項２に記載の電子機器。
【請求項４】
前記外周部は、前記角部の前記カバー部よりも突出している突出量が、０．７ｍｍ以上１．５ｍｍ以下である請求項１から請求項３のいずれか一項に記載の電子機器。
【請求項５】
前記外周部は、外表面がポリカーボネートまたは、ガラス入りポリカーボネートで形成されている請求項１から請求項４のいずれか一項に記載の電子機器。
【請求項６】
前記外周部に配置され、押下される操作を検出する操作部を有し、
前記操作部は、前記表示部に平行な方向において、前記外周部よりも突出していない請求項１から請求項５のいずれか一項に記載の電子機器。
【請求項７】
前記外周部に形成され、内部が繋がった２つのストラップ孔を有し、
前記２つのストラップ孔の間の部分が、他の表面よりも窪んでいる請求項１から請求項６のいずれか一項に記載の電子機器。